(57)【特許請求の範囲】
【請求項１】
機器に取り付けられる内側板状部材を、この内側板状部材を被覆して摺動する外側板状部材とからなる機器の化粧パネルであって、
外側板状部材は、断面略Ｌ字状の折返し部を設けて、一方の折返し部を受け用折返し部とし、他方の折返し部の先端の折返し片には一定間隔で複数の切欠部が設けられて複数の係合固定片が形成されるように構成されており、内側板状部材は、矩形状の板の一端に機器の内部方向に突出する垂直片を連設するとともに、この板の一端外面に細長い板を矩形状の板より一部がはみ出すように固定し、この細長い板の外面両端には外部方向に突出する垂直片が連設されて係合用突片と間隔規制用突片とが形成されており、矩形状の板の他端内面に細長い板を矩形状の板より一部がはみ出すように固定し、この細長い板の側端に内部方向に突出する垂直片が設けられており、矩形状の板の他端外面に細長い板が固定され、この細長い板には断面略コ字状の係合片が外部方向に突出するように連設されており、この係合片の先端の断面略Ｌ字状部には一定間隔で複数の切欠部が設けられて複数の摺動固定片が形成されるように構成されており、
外側板状部材の受け用折返し部に内側板状部材の係合用突片が挿入されるように、外側板状部材を内側板状部材に係合させた状態で、内側板状部材の切欠部に外側板状部材の係合固定片を挿入して内側板状部材を外側板状部材で被覆し、外側板状部材または内側板状部材に矩形状の板に平行な力を加えて、外側板状部材の係合固定片内に内側板状部材の摺動固定片を摺動位置させて、内側板状部材の外方向前面を外側板状部材で被覆して固定するように構成されたことを特徴とする機器パネル構造。
【発明の詳細な説明】
【０００１】
【発明の属する技術分野】
本発明は、機器のパネル構造、詳しくは、美観を必要とする機器の側面パネルの構造に関するものである。
【０００２】
【従来の技術】
床面、天井面に設置される機器、壁に取り付けて使用する機器、例えば、壁掛け型非常用放送機器などの側面パネルは美観に優れていることが好ましいが、従来は、側面パネルを機器本体にねじ止めしていたので、ねじの頭部が外部から見えて美観の点で好ましくなかった。
【０００３】
【発明が解決しようとする課題】
本発明は上記の点に鑑みなされたもので、本発明の目的は、ねじが外部から見えることがなく、したがって美観に優れ、かつ、取付が容易な機器パネル構造を提供することにある。
【０００４】
【課題を解決するための手段】
上記の目的を達成するために、本発明の機器パネル構造は、機器側に取り付けられる内側部材と、この内側部材を被覆して摺動する外側部材とからなる機器の化粧パネルであって、
外側部材は、板状体の一端に内側への折返し部を設けて受け用折返し部とし、他端に断面略Ｌ字状の折返し部を設け、先端の折返し片には切欠部が設けられて、係合固定片が形成されるように構成されており、
内側部材は、断面が略コ字状の係合片が外部方向に突出するように形成され、この係合片の先端の断面略Ｌ字状部には切欠部が設けられて摺動固定片が形成されるようにした係合部と、外側部材の受け用折返し部が係合される係合用突片によって構成されており、
外側部材の受け用折返し部に、内側部材の係合用突片が挿入されるように、外側部材を内側部材に係合させた状態で、内側部材の切欠部に外側部材の係合固定片を挿入して内側部材を外側部材で被覆し、外側部材と内側部材を摺動させて外側部材の係合固定片内に内側部材の摺動固定片を摺動位置させて固定するように構成されている（図１〜図１１参照）。
【０００５】
また本発明の機器パネル構造は、機器側に取り付けられる内側部材と、この内側部材を被覆して摺動する外側部材とからなる機器の化粧パネルであって、
外側部材は、矩形状の板の内面両側に断面略Ｌ字状の折返し部を設けて、一方の折返し部を受け用折返し部とし、他方の折返し部の先端の折返し片には切欠部が設けられて、係合固定片が形成されるように構成されており、
内側部材は矩形状の板の一端に、断面が略コ字状の係合片が外部方向に突出するように形成されており、この係合片の先端の断面略Ｌ字状部には切欠部が設けられて摺動固定片が形成されるように構成されており、
外側部材の受け用折返し部に、内側部材の他端が挿入されるように、外側部材を内側部材に係合させた状態で、内側部材の切欠部に外側部材の係合固定片を挿入して内側部材を外側部材で被覆し、外側部材と内側部材を摺動させて外側部材の係合固定片内に内側部材の摺動固定片を摺動位置させて固定するように構成されたことを特徴としている（図１〜図７参照）。
【０００６】
これらの機器パネル構造において、外側部材及び内側部材の切欠部を一定間隔に複数設けることが望ましい。また、内側部材に外部方向へ略垂直に突出する間隔規制用突片を具備することが望ましい。
【０００７】
さらに、本発明の機器パネル構造は、機器に取り付けられる内側板状部材を、この内側板状部材を被覆して摺動する外側板状部材とからなる機器の化粧パネルであって、
断面略Ｌ字状の折返し部を設けて、一方の折返し部を受け用折返し部とし、他方の折返し部の先端の折返し片には一定間隔で複数の切欠部が設けられて複数の係合固定片が形成されるように構成されており、内側板状部材は、矩形状の板の一端に機器の内部方向に突出する垂直片を連設するとともに、この板の一端外面に細長い板を矩形状の板より一部がはみ出すように固定し、この細長い板の外面両端には外部方向に突出する垂直片が連設されて係合用突片と間隔規制用突片とが形成されており、矩形状の板の他端内面に細長い板を矩形状の板より一部がはみ出すように固定し、この細長い板の側端に内部方向に突出する垂直片が設けられており、矩形状の板の他端外面に細長い板が固定され、この細長い板には断面略コ字状の係合片が外部方向に突出するように連設されており、この係合片の先端の断面略Ｌ字状部には一定間隔で複数の切欠部が設けられて複数の摺動固定片が形成されるように構成されており、
外側板状部材の受け用折返し部に内側板状部材の係合用突片が挿入されるように、外側板状部材を内側板状部材に係合させた状態で、内側板状部材の切欠部に外側板状部材の係合固定片を挿入して内側板状部材を外側板状部材で被覆し、外側板状部材または内側板状部材に矩形状の板に平行な力を加えて、外側板状部材の係合固定片内に内側板状部材の摺動固定片を摺動位置させて、内側板状部材の外方向前面を外側板状部材で被覆して固定するように構成されたことを特徴としている（図１〜図７参照）。
【０００８】
機器として、壁掛け型非常用放送機器などの壁掛け型機器が挙げられ、この機器に本発明を適用することが望ましい。なお、床面、天井面に設置される機器にも適用することができる。
【０００９】
【発明の実施の形態】
図１は本発明の実施の第１形態による機器パネル構造における外側板状部材の表面を示し、図２は外側板状部材の裏面を示し、図３は実施の第１形態による機器パネル構造における内側板状部材の表面を示し、図４は内側板状部材の裏面を示し、図５は内側板状部材に外側板状部材を取り付けている状態の一例を示し、図６は内側板状部材に外側板状部材を取り付けている状態の他の例を示し、図７は内側板状部材に外側板状部材を取り付けた状態（完成状態）を示し、図１１は本発明の機器パネル構造を適用した壁掛け型非常用放送機器を示している。
【００１０】
図５〜図７、図１１に示すように、本実施形態の機器パネル構造１０は、壁掛け型非常用放送機器１２の側面に取り付けられる内側板状部材１４と、この内側板状部材１４の一部を被覆して摺動させる外側板状部材１６とから構成される。図１１における１８は壁面である。また、図７の機器パネル構造１０は、図１１において鎖線の矩形で囲まれた部分を拡大したものである。
【００１１】
図１は外側板状部材１６の表面を示し、図２は外側板状部材１６の裏面を示している。
この外側板状部材１６は、つぎのように構成されている、すなわち、矩形状の板２０の内面（裏面）両側に横断面が略Ｌ字状の折返し部２２、２４を設けて、一方の折返し部を、後述の内側板状部材の係合用突片が挿入される受け用折返し部２２とし、他方の折返し部２４の先端の折返し片２６には一定間隔で複数の切欠部２８が設けられて複数の係合固定片３０が形成されるように構成されている。
【００１２】
図３は内側板状部材１４の表面を示し、図４は内側板状部材１４の裏面を示している。この内側板状部材１４は、つぎのように構成されている。すなわち、矩形状の板３２の一端に機器の内部方向に突出する垂直片３４を一体に連設するとともに、この板３２の一端外面（表面）に細長い板３６を矩形状の板３２より一部がはみ出すようにねじ３８により固定する。なお、内側板状部材１４の裏面は、機器の側面に予め取り付けられている。細長い板３６の外面（表面）両端には外部方向に突出する垂直片が一体に連設されて、係合用突片４０と間隔規制用突片４２とが形成されている。なお、間隔規制用突片４２には切欠部４４が設けられているが、この切欠部４４を設けない場合もある。
【００１３】
矩形状の板３２の他端内面（裏面）には、他の細長い板４６を板３２より一部がはみ出すようにねじ４８により固定されている。この細長い板４６の側端には、内部方向に突出する垂直片５０が設けられており、また、矩形状の板３２の他端外面（表面）にさらに他の細長い板５２がねじ５４により固定されている。
この細長い板５２には、横断面が略コ字状の係合片５６が外部方向に突出するように連設されており、この係合片５６の先端の横断面がＬ字状部５８には一定間隔で複数の切欠部６０が設けられて、複数の摺動固定片６２が形成されている。なお、外側板状部材１６及び内側板状部材１４は、金属板、プラスチック板などで形成される。
【００１４】
上記のように構成された外側板状部材１６及び内側板状部材１４を、図５又は図６に示すように組み合わせた後、図７に示す状態にして本発明の機器パネル構造を完成させる。
以下、組合せについて詳細に説明する。図１〜図５に示すように、外側板状部材１６の受け用折返し部２２に内側板状部材１４の係合用突片４０を挿入し、外側板状部材１６を内側板状部材１４に係合させた状態とする。この状態で、内側板状部材１４の切欠部６０に外側板状部材１６の係合固定片３０を挿入して、内側板状部材１４を外側板状部材１６で被覆する。この状態で、外側板状部材１６に矢印で示す方向の力を加えて、外側板状部材１６の係合固定片３０内に内側板状部材１４の摺動固定片６２を摺動・位置させて、内側板状部材１４の外方向前面を外側板状部材１６で被覆して強固に固定し、図７に示す状態とする。
内側板状部材１４において、細長い板４６の端部と、係合片５６の先端のＬ字状部５８の先端との間には、間隙６４が形成されており、この間隙１６内を外側板状部材１６の係合固定片３０の先端の片が入り込んで摺動する。間隔規制用突片４２は、図７に示す状態に組み合わせたときに、外側板状部材１６と内側板状部材１４との間隔を一定に保持するためのものである。なお、内側板状部材１４の複数の切欠部６０に、外側板状部材１６の複数の係合固定片３０が挿入できるように、両者の大きさ、寸法は予め調整して形成されている。
図７は機器パネル構造の一部を示しており、実際は上下に延長した形状をしている。そして、上端及び下端は、図示していないが、開口を塞ぐための部材が外側板状部材に連設されている。なお、機器パネルを上下方向以外に左右方向に用いる場合もある。
【００１５】
図５は外側板状部材１６を内側板状部材１４から下側にづらせて係合して組み合わせる場合を示しているが、図６に示すように、外側板状部材１６を内側板状部材１４から上側にづらせて係合して組み合わせる場合もある。この場合は、外側板状部材１６に矢印で示すように下方の力を加えることにより、図７に示す状態とする。
なお、本実施形態では、各パーツの取付がねじ止めされている場合について説明したが、接着、溶接等で取り付けることも可能である。
【００１６】
図８、図９は本発明の実施の第２形態による機器パネル構造を示している。本実施形態は、内側板状部材１４ａを１枚の板３２ａのみで形成するとともに、外側板状部材１６ａをやや湾曲した板２０ａで形成し、この板２０ａの一端に折返し片６６を設けて、この折返し片６６に内側板状部材１４ａの一端を係合させるようにしたものである。６８は係合用突片である。他の構成及び作用は実施の第１形態の場合と同様である。
【００１７】
図１０は本発明の実施の第３形態による機器パネル構造を示している。実施の第１、２形態では、内側板状部材の構成は一体（矩形状の板をベースに各構成を実現したもの）であるが、本実施形態は、内側板状部材１４ｂが一体でない構成、すなわち、機器の一部として、係合部と係合用突片を構成する場合である。６０は切欠部、６２は摺動固定片、６８は係合用突片である。他の構成及び作用は実施の第１形態の場合と同様である。
【００１８】
【発明の効果】
本発明は上記のように構成されているので、つぎのような効果を奏する。
（１）  ねじが外部から見えることなく、機器パネルを形成することができるので、美観に優れ、機器の化粧パネル（意匠パネル）として用いるのに適するとともに、取付がきわめて容易である。
（２）  壁掛け型機器などの機器の側面パネルとして用いるのに適しており、機器の両側のパネルとして共同することができる。
【図面の簡単な説明】
【図１】本発明の実施の第１形態による機器パネル構造において用いられる外側板状部材の表面を示す斜視図である。
【図２】図１に示す外側板状部材の裏面を示す斜視図である。
【図３】実施の第１形態による機器パネル構造において用いられる内側板状部材の表面を示す斜視図である。
【図４】図３に示す内側板状部材の裏面を示す斜視図である。
【図５】内側板状部材に外側板状部材を取り付けている状態の一例を示す斜視図である。
【図６】内側板状部材に外側板状部材を取り付けている状態の他の例を示す斜視図である。
【図７】内側板状部材に外側板状部材を取り付けた状態を示す斜視図、すなわち、本発明の実施の第１形態による機器パネル構造を示す斜視図である。
【図８】本発明の実施の第２形態による機器パネル構造における内側板状部材及び外側板状部材の斜視図である。
【図９】図８に示す状態から組み立てられた状態の機器パネル構造を示す斜視図である。
【図１０】本発明の実施の第３形態による機器パネル構造における内側板状部材まわりを示す斜視図である。
【図１１】本発明の機器パネル構造を適用した壁掛け型非常用放送機器を示す斜視図である。
【符号の説明】
１０  機器パネル構造
１２  壁掛け型非常用放送機器
１４、１４ａ、１４ｂ  内側板状部材
１６、１６ａ  外側板状部材
１８  壁面
２０、２０ａ  矩形状の板
２２  受け用折返し部
２４  折返し部
２６  折返し片
２８  切欠部
３０  係合固定片
３２、３２ａ  矩形状の板
３４  垂直片
３６  細長い板
３８  ねじ
４０、６８  係合用突片
４２  間隔規制用突片
４４  切欠部
４６  細長い板
４８  ねじ
５０  垂直片
５２  細長い板
５４  ねじ
５６  係合片
５８  Ｌ字状部
６０  切欠部
６２  摺動固定片
６４  間隙
６６  折返し片
【図１】
0003938641.tif 000002
【図２】
0003938641.tif 000003
【図３】
0003938641.tif 000004
【図４】
0003938641.tif 000005
【図５】
0003938641.tif 000006
【図６】
0003938641.tif 000007
【図７】
0003938641.tif 000008
【図８】
0003938641.tif 000009
【図９】
0003938641.tif 000010
【図１０】
0003938641.tif 000011
【図１１】
0003938641.tif 000012